(57)【要約】【課題】  温度センサに水蒸気等の異物が付着するのを防止する定着装置、及び、この定着装置を備えた画像形成装置を提供する。【解決手段】  温度センサ７６がハウジング７２と蓋部７８で密閉された空間内に設置されることで、水蒸気を含む空気に温度センサ７６が曝されることがない。これにより、温度センサ７６に水滴が付着することを防止できる。また、定着装置１６の周辺を漂う紙紛、トナー等の異物が温度センサ７６に付着することもないので、加熱ロール５６の表面温度を正確に検知することができる。フィルター８２の表面が結露して水滴が付着しても、清掃部材８４によって水滴は除去されるので、加熱ロール５６の表面温度を常に正確に検知することができる。これにより、温度センサ７６によって加熱ロール５６の温度制御を正しく行うことができるので、記録用紙上のトナーを適切な温度で定着させることができる。【選択図】  図３
2005227558.tif 000002
【特許請求の範囲】
【請求項１】
記録用紙を加熱して記録用紙上のトナーを定着させる定着手段と、
前記定着手段に非接触で配置され、前記定着手段の表面温度を検知する非接触型温度センサと、
前記非接触型温度センサを密閉する筐体と、
前記筐体に形成された前記非接触型温度センサの赤外線透過用の開口部と、
前記開口部を閉じるフィルターと、
前記フィルターに付着した水滴を除去する水滴除去手段と、
を備えたことを特徴とする定着装置。
【請求項２】
前記水滴除去手段は、前記フィルターの表面を清掃する清掃部材からなることを特徴とする請求項１に記載の定着装置。
【請求項３】
前記水滴除去手段は、前記フィルターを温める加熱ヒーターからなることを特徴とする請求項１に記載の定着装置。
【請求項４】
前記定着装置を備えた画像形成装置内部の温度又は湿度を検出する温湿度センサと、前記温湿度センサからの信号に基づき、前記水滴除去手段を駆動する制御手段と、を有することを特徴とする請求項１〜請求項３のいずれか１項に記載の定着装置。
【請求項５】
前記非接触型温度センサは基盤に取り付けられており、前記筐体は、前記非接触型温度センサと前記基盤とを密閉することを特徴とする請求項１〜請求項４のいずれか１項に記載の定着装置。
【請求項６】
請求項１乃至請求項５のいずれか１項の定着装置を備えた画像形成装置。
【発明の詳細な説明】
【技術分野】
【０００１】
本発明は、加熱して定着させる方法により記録媒体へ画像を定着させる定着装置及びこの定着装置を備えた画像形成装置に関する。
【背景技術】
【０００２】
従来より、電子写真方式を利用した複写機やプリンター等において、記録用紙上に形成された未定着トナー像を定着する方法として加熱定着法が知られている。加熱定着法は、トナーを加熱溶融するための加熱部材と、トナーを記録用紙に圧着するための加圧部材の間を記録用紙を通過させ、加熱部材の熱と、加圧部材による圧力の作用によって記録用紙上の未定着トナー像を定着させるものである。
【０００３】
この加熱定着法では、記録用紙に安定した画像を形成するために、加熱部材の表面温度を検知して制御を行うようにしている。そこで、加熱部材の表面に温度センサを接触させることで、加熱部材の表面温度を検知することが行われている。しかし、温度センサを加熱部材に接触させることで、加熱部材の表面を傷つけてしまい、これによって画像欠陥が生じる恐れがある。
【０００４】
このため、加熱部材に接触させずに加熱部材の温度を検知する非接触式温度センサが用いられている。しかし、加熱定着法でトナーを定着する際に、記録用紙に含まれる水分が蒸発して水蒸気となり、温度センサのレンズ面に付着して、結露を引き起こしてしまう。レンズ面が結露することで、加熱部材の表面から放射された赤外線が、この結露（水滴）に吸収されてしまい、加熱部材の表面温度を正確に測定できなくなってしまう。
【０００５】
また、温度センサは基盤に装着されており、基盤は制御装置に接続されている。これにより、温度センサで検知した加熱部材の表面温度が制御装置へ送られると、制御装置から加熱部材を加熱する加熱源の温度制御が行われる。しかし、基盤が空気中に含まれる水蒸気によって結露してショートする恐れがある。
【０００６】
そこで、温度センサ及び基盤を略箱型状のハウジングに取り付けることで、温度センサに水滴が付着するのを防ぐ構成が開示されている（特許文献１参照）。しかし、特許文献１の構成では、ハウジングは略箱型状とされているが、ハウジング内に取り付けられた温度センサは外気から完全に遮断されていない。従って、ハウジングの開口部から、ハウジング内部に水蒸気や紙紛、トナー等の異物が入り込んで温度センサや基盤に付着することが考えられる。これによって、加熱ロールの表面の温度を正確に測定することができなくなる恐れがある。一方、ハウジングの開口部からの異物の侵入を防ぐため設置場所を限定すると、この定着装置を備える画像形成装置の小型化を妨げる要因となる。
【特許文献１】特開２００２−３４０６８２号公報
【発明の開示】
【発明が解決しようとする課題】
【０００７】
本発明は、温度センサに水蒸気等の異物が付着するのを防止する定着装置、及び、この定着装置を備えた画像形成装置を提供することを目的とする。
【課題を解決するための手段】
【０００８】
請求項１に記載の発明は、記録用紙を加熱して記録用紙上のトナーを定着させる定着手段と、前記定着手段に非接触で配置され、前記定着手段の表面温度を検知する非接触型温度センサと、前記非接触型温度センサを密閉する筐体と、前記筐体に形成された前記非接触型温度センサの赤外線透過用の開口部と、前記開口部を閉じるフィルターと、前記フィルターに付着した水滴気を除去する水滴除去手段と、を備えたことを特徴としている。
【０００９】
請求項１に記載の発明によれば、赤外線透過用の開口部が形成された筐体に非接触型温度センサが密閉されており、開口部にはフィルターが設けられている。そして、非接触型温度センサによって、フィルターを通して定着手段の表面温度が検知される。フィルターには、水滴除去手段が設けられており、この水滴除去手段によって、フィルターに付着した水滴（露）が除去される。
【００１０】
このように、非接触型温度センサが筐体によって密閉されることで、水蒸気、紙紛、トナー等の異物を含む空気に非接触型温度センサが曝されることがない。従って、非接触型温度センサに水滴、紙紛、トナー等の異物が付着するのを防止できるので、定着手段の表面温度を正確に検知することができる。
【００１１】
また、結露によってフィルターの表面に水滴が付着しても、水滴除去手段によって水滴は除去されるので、定着手段の表面温度を常に正確に検知することができ、定着手段の温度制御が正しく行われる。従って、記録用紙上のトナーを適切な温度で定着させることができる。
【００１２】
さらに、非接触型温度センサを筐体で密閉する構成とすることで、定着手段の表面温度を検知できれる位置であれば、どの場所に非接触型温度センサが取り付けられた筐体を設置しても良いので、空いたスペースを有効に活用でき、装置全体の小型化に繋がる。
【００１３】
請求項２に記載の発明は、前記水滴除去手段は、前記フィルターの表面を清掃する清掃部材からなることを特徴としている。
【００１４】
請求項２に記載の発明によれば、水滴除去手段として清掃部材でフィルターの表面を清掃することで、フィルターの表面に付着した水滴を除去することができる。これにより、フィルターを通して非接触型温度センサが定着手段の表面温度を検知するとき、定着手段の表面から放射される赤外線が水滴に吸収されることがないので、定着手段の表面温度を正確に検知することができる。
【００１５】
請求項３に記載の発明は、前記水滴除去手段は、前記フィルターを温める加熱ヒーターからなることを特徴としている。
【００１６】
請求項３に記載の発明によれば、フィルターを加熱ヒーターで温めることによってフィルターの温度が上昇するので、フィルター周辺の空気に含まれた水蒸気がフィルターの表面に触れたとき、フィルターは結露しにくくなり、フィルターの表面に水滴が付着するのを防止できる。
【００１７】
請求項４に記載の発明は、前記定着装置を備えた画像形成装置内部の温度又は湿度を検出する温湿度センサと、前記温湿度センサからの信号に基づき、前記水滴除去手段を駆動する制御手段と、を有することを特徴としている。
【００１８】
請求項４に記載の発明によれば、画像形成装置内部の温度又は湿度によって、水滴除去手段を駆動させることで、フィルターに水滴が付着していない時に、水滴除去手段を駆動させてフィルターの表面を傷つけてしまうことを防止する。
【００１９】
請求項５に記載の発明は、前記非接触型温度センサは基盤に取り付けられており、前記筐体は、前記非接触型温度センサと前記基盤とを密閉することを特徴としている。
【００２０】
請求項５に記載の発明によれば、非接触型温度センサは基盤に取り付けられており、この基盤と非接触型温度センサとが、筐体に収容されている。これにより、基盤も非接触型温度センサと同じように水蒸気を含む空気に曝されないので、水滴が付着するのを防止できる。従って、基盤に水滴が付着してショートを起こす恐れがなくなる。
【発明の効果】
【００２１】
本発明は上記構成としたので、温度センサに水蒸気等の異物が付着するのを防止することができる。
【発明を実施するための最良の形態】
【００２２】
図１には、本発明の第１の実施形態に係る定着装置１６を備えた画像形成装置１０の概略構成図が示されている。
【００２３】
（画像形成装置の概要）
図１には、本実施形態の画像形成装置１０が示されている。画像形成装置１０は、タンデム型フルカラープリンタであり、大きく分けて、画像形成部１２、転写部１４、及び定着部（定着装置）１６により構成されている。
【００２４】
画像形成装置１０は、Ｙ（イエロー）、Ｍ（マゼンタ）、Ｃ（シアン）、Ｋ（ブラック）の各色の画像を形成する画像形成部２４Ｙ、２４Ｍ、２４Ｃ、２４Ｋが、所定の間隔をおいて並列状に配置されている。なお、ここでは、画像形成部２４Ｙ、２４Ｍ、２４Ｃ、２４Ｋはほぼ同構成とされているので、イエロー色に対応する画像形成部２４Ｙを例にとって説明する。
【００２５】
画像形成部２４Ｙは感光体ドラム２８Ｙを備えており、感光体ドラム２８Ｙは矢印Ａの方向に図示しない駆動手段によって所定のスピードで回転駆動されるようになっている。
【００２６】
感光体ドラム２８Ｙには、帯電ロール３０Ｙが接触するように配置されている。この帯電ロール３０Ｙによって、感光体ドラム２８Ｙの表面は一様に帯電される。
【００２７】
また、感光体ドラム２８Ｙの図中右側には、光走査装置２６が配置されており、感光体ドラム２８Ｙにレーザ光Ｒ（Ｙ）を照射する。これによって、感光体ドラム２８Ｙの表面に静電潜像が形成される。
【００２８】
レーザ光Ｒ（Ｙ）の照射位置よりも感光体ドラム２８Ｙの回転方向下流側には、現像器３２Ｙが配置されている。この現像器３２Ｙから感光体ドラム２８Ｙにトナーが供給され、感光体ドラム２８Ｙの表面に形成された静電潜像をトナーによって顕像化して、感光体ドラム２８Ｙの表面にトナー像を形成する。
【００２９】
感光体ドラム２８Ｙのトナー像は、転写部１４の第１の一次中間転写ドラム３６Ａへ一次転写され、イエロー色とマゼンダ色のカラー像となる。そして、二次中間転写ドラム３８へ二次転写されることで、第２の一次中間転写ドラム３６Ｂから転写されたシアン色、ブラック色のトナー像と重なり、イエロー色、マゼンダ色、シアン色、ブラック色のフルカラートナー像となる。
【００３０】
ここで、用紙カセット４２の用紙排出口近傍に設けられたピックアップロール４４とリタードロール４６とのロール対によって用紙カセット４２から記録紙Ｓが取り出され、ピックアップロール４４とリタードロール４６の搬送方向下流側に配設された用紙搬送ロール４８を経て、二次中間転写ドラム３８と転写ロール４０のニップ部に送り込まれる。そこで、記録紙Ｐの表面に、フルカラートナー像が静電転写される。このフルカラートナー像が転写した記録紙Ｓは、後述する定着部１６で加熱加圧されることによって、記録紙Ｐの表面にトナー像が定着する。
【００３１】
定着部１６の搬送方向下流側には排出トレイ５２が設けられており、定着部１６と排出トレイ５２の間に配設された排出ロール５０によって、トナー像が定着した記録紙Ｓが排出トレイ５２に排出されるようになっている。以上が、画像形成プロセスである。
（定着装置）
次に、定着装置１６について説明する。
【００３２】
図２に示すように、定着装置１６は筐体５４を備えており、筐体５４の内部には、加熱ロール５６及び加圧ロール５８が設けられている。
【００３３】
加熱ロール５６は、金属製で円筒形状のコア６２を有しており、コア６２の外側には耐熱性弾性体層６１が設けられ、耐熱性弾性体層６１の外側には離型層６０が設けられている。コア６２に使用される材料としては、鉄、アルミニウム、ステンレス等の熱伝導率の高い金属が挙げられる。また、耐熱性弾性体層６１としては、耐熱性の高い弾性体であればどのような材料を使用することもできる。さらに、離型層６０としては、耐熱性の樹脂であればどのような樹脂を用いてもよく、例えば、フッ素樹脂、シリコーン樹脂等を使用することができる。
【００３４】
コア６２の内部には、加熱源としてのハロゲンランプ６３が設置されており、これによって、加熱ロール５６の表面温度は所定の温度に加熱されるようになっている。また、加熱ロール５６は、図示しない駆動源によって、時計回り（矢印Ｘ方向）に回転可能とされている。
【００３５】
一方、加圧ロール５８は、加熱ロール５６に圧着される位置に配置されている。加圧ロール５８はエンドレスベルト６４を有し、エンドレスベルト６４の内側には圧力パッド６５が設けられている。圧力パッド６５には、加熱ロール５６の外周面に沿った圧着部６６が設けられており、圧着部６６がエンドレスベルト６４を介して加熱ロール５６に圧着されている。
【００３６】
また、圧着部６６の加熱ロール５６と反対側には、圧力パッド支持部材６７が取り付けられており、圧力パッド支持部材６７にはベルト走行ガイド６８が設けられている。ベルト走行ガイド６８は断面が半円の筒状とされており、エンドレスベルト６４の走行をガイドする構成となっている。
【００３７】
加圧ロール５８は、加熱ロール５６に従動して回転し、加熱ロール５６との間（挟持部Ｎ）で記録用紙を挟持しながら、搬送経路Ｗの搬送方向下流側へ搬送する。このとき、加熱ロール５６からの熱と、加圧ロール５８からの圧力によって、記録用紙上のトナーが溶融し、トナー画像が記録用紙上に定着する。そして、加熱ロール５６及び加圧ロール５８の搬送方向下流側に配置された搬送ロール６９によって、記録用紙は搬送経路Ｗに沿って搬送される。
（温度センサユニット）
画像形成装置１０の筐体５４の外側には、Ｌ字形のプレート５５が取り付けられており、このプレート５５には、加熱ロール５６の表面の温度を検知する温度センサユニット７０が設置されている。温度センサユニット７０はハウジング７２を有しており、後述するフィルター８２が取り付けられた面を加熱ロール５６に対向させて配置されている。
【００３８】
図３及び図４に示すように、ハウジング７２は略矩形箱状とされており、ハウジング７２の底面７２Ａには基盤７４が設置されている。基盤７４は、四隅をねじを用いて底面７２Ａから所定距離離間して設置されている。
【００３９】
基盤７４には温度センサ７６が設置されている。温度センサ７６は赤外線方式のものが用いられ、加熱ロール５６（図２参照）の表面から放射される赤外線エネルギーを検知することで、加熱ロール５６の表面温度を検知する。
【００４０】
また、図２に示すように、基盤７４は制御装置５３に接続されており、温度センサ７６で検知された加熱ロール５６の表面温度が制御装置５３へ送られる。そして、制御装置５３はハロゲンランプ６３へ供給する電流を調整して、加熱ロール５６の表面温度を所定の温度範囲内に保持する。
【００４１】
図３に示すように、ハウジング７２の底面７２Ａと反対側の開口面７２Ｂには、蓋部７８が取り付けられるようになっている。ハウジング７２に蓋部７８を取り付けることで、ハウジング７２内は密閉された状態になる。従って、ハウジング７２内に設置された基盤７４と温度センサ７６は、ハウジング７２の外気に触れない構成となっている。
【００４２】
蓋部７８には円形状の開口部８０が形成されており、この開口部８０には、フィルター８２が取り付けられている。フィルター８２は、赤外線を透過するガラス板で形成されており、加熱ロール５６（図２参照）の表面から放射された赤外線エネルギーは、フィルター８２を透過して温度センサ７６に検知されるようになっている。
【００４３】
また、蓋部７８の表面には清掃部材８４が設けられている。清掃部材８４は、長板状の板部８６を供えており、板部８６の一端はピン８５で蓋部７８に回転可能に取り付けられている。また、板部８６のピン８５が取り付けられた近傍には孔部８６Ａが形成されており、この孔部８６Ａには引っ張りばね８８の一端が係止されている。引っ張りばね８８の他端は、蓋部７８に設置された凸部８７に係止されている。これにより、この引っ張りばね８８によって、板部８６は図の反時計回りに付勢されている。
【００４４】
板部８６の一端のピン８５が取り付けられた位置よりも先端部分には、孔部８６Ｂが形成されている。この孔部８６Ｂには、ソレノイド９０の可動鉄心９２に固定されたピン９２Ａが挿入されている。ソレノイド９０は図示しない制御装置に接続されており、制御装置からの信号によってソレノイド９０に通電されると、可動鉄心９２が突出してピン８５を軸として板部８６を回動させるようになっている。
【００４５】
板部８６の裏面にはスポンジ９４が取り付けられている。板部８６がピン８５を軸として回動すると、フィルター８２の表面をスポンジ９４が払拭する。これにより、フィルター８２の表面に付着した水滴はスポンジ９４に吸収、又は拭き取られる。
【００４６】
蓋部７８には、板部８６の他端を保持する位置にガイド部材９６が設置されている。ガイド部材９６は、板部８６がピン８５を軸として回動したとき、板部８６の他端の移動軌跡に沿った円弧状とされている。また、ガイド部材９６は、断面形状が略コ字状となっており、板部８６の他端を挟み込むようになっている。
【００４７】
図４に示すように、ガイド部材９６で板部８６の他端を挟み込んだとき、板部８６の下側の面に形成された凸部９５が係合する溝９３が、ガイド部材９６に形成されている。これにより、板部８６は、ソレノイド９０へ通電されたとき、他端をガイド部材９６に保持されながらピン８５を軸として時計回りに回動し、ソレノイド９０への通電が停止されたとき、他端をガイド部材９６に保持されながら引っ張りばね８８の付勢力によって反時計回りに回動して元の位置に戻るようになっている。また、ガイド部材９６の両端には係止部９７が形成されており、板部８６の他端はこの係止部９７で停止するようになっている。
【００４８】
一方、図１に示すように、画像形成装置１０内には、画像形成装置１０内の温度を検知する温度センサ５１が設置されている。図２に示すように、温度センサ５１は制御装置５３に接続されており、画像形成装置１０内の温度がフィルター８２の表面が結露する温度、例えば５０°以下になると、制御装置５３によってソレノイド９０が通電されるようになっている。これによって可動鉄心９２が伸長し、フィルター８２の表面は板部８６に取り付けられたスポンジ９４によって払拭され、フィルター８２の表面に付着した水滴が除去されるようになっている。
【００４９】
このように、画像形成装置１０内の温度を検知して、その温度に基づいて清掃部材８４を駆動させる構成とすることで、フィルター８２に水滴が付着していないときに清掃部材８４を駆動させることがないので、フィルター８２の表面を不必要に清掃部材８４で擦ることがなく、フィルター８２に傷がつくのを防止できる。
【００５０】
なお、本実施形態においては、画像形成装置１０内の温度を検知して、清掃部材８４を駆動させる構成としたが、画像形成装置１０内の湿度を検知して、フィルター８２の表面が結露する湿度になったときに清掃部材８４を駆動させる構成としてもよい。また、画像形成装置１０内の温度と湿度の両方を検知して、フィルター８２の表面が結露する温度と湿度になったとき、清掃部材８４を駆動させる構成とすることもできる。
【００５１】
次に、本発明の第１の実施形態の作用について説明する。
【００５２】
図３に示すように、加熱ロール５６の表面温度を検知する温度センサ７６が、赤外線透過用の開口部８０が形成されたハウジング７２と蓋部７８とで密閉されている。開口部８０にはフィルター８２で閉じられており、温度センサ７６によってフィルター８２を通して加熱ロール５６の表面温度が検知される。また、清掃部材８４によって、フィルター８２に付着した水滴が除去される。
【００５３】
このように、温度センサ７６がハウジング７２と蓋部７８で密閉された空間内に設置されることで、水蒸気を含む空気に温度センサ７６が曝されることがない。これにより、温度センサ７６に水滴が付着することを防止できる。また、定着装置１６の周辺を漂う紙紛、トナー等の異物が温度センサ７６に付着することもないので、加熱ロール５６の表面温度を正確に検知することができる。
【００５４】
また、記録用紙が加熱ロール５６と加圧ロール５８の間を通過するとき、加熱ロール５６に加熱されて記録用紙から水蒸気が発生する。この水蒸気が発生する位置に温度センサユニット７０を設置したとき、フィルター８２の表面が結露して水滴が付着しても、清掃部材８４によって水滴は除去されるので、加熱ロール５６の表面温度を常に正確に検知することができる。これにより、温度センサ７６によって加熱ロール５６の温度制御を正しく行うことができるので、記録用紙上のトナーを適切な温度で定着させることができる。
【００５５】
さらに、温度センサ７６が取り付けられた基盤７４も、ハウジング７２と蓋部７８によって密閉された空間内に設置されている。これにより、基盤７４も温度センサ７６と同じように水蒸気を含む空気に曝されないようにすることで、水滴が付着するのを防止できる。従って、基盤７４に水滴が付着してショートを起こす恐れがなくなる。
【００５６】
また、温度センサ７６及び基盤７４をハウジング７２と蓋部７８で密閉された空間内に配置することで、加熱ロール５６の表面温度を検知できる位置であればどの場所に温度センサユニット７０を設置しても良い。従って、空いたスペースを有効に活用でき、画像形成装置１０全体の小型化に繋がる。
【００５７】
なお、本実施形態の清掃部材を駆動させる方法としてソレノイド９０を用いたが、例えば、図５に示すような移動機構を用いることもできる。この移動機構を簡単に説明すると、板部１５０の一端をピン１５２で蓋部７８に回動可能に取り付け、ピン１５２の周囲には伝導ギア１５４を取り付ける。伝導ギア１５４はモータ１５６に接続された駆動ギア１５８に噛み合っており、モータ１５６の回転によって駆動ギア１５８が回転すると、伝導ギア１５４に回転力が伝わって、板部１５０がピン１５２を軸として回動する構成となっている。
【００５８】
また、図６に示すようなねじ送り機構を用いて清掃部材を移動させてもよい。このねじ送り機構について簡単に説明する。蓋部７８には２個の支持部材１６０が設置されている。支持部材１６０には、ねじ軸１６２が回転自由に架け渡されている。ねじ軸１６２にはモータ１６６が接続されており、モータ１６６の回転によってねじ軸１６２が回転するようになっている。
【００５９】
清掃部材１６８の一方の端部には軸部１６３が設けられており、この軸部１６３に形成された雌ねじ部がねじ軸１６２に螺合している。また、清掃部材１６８の他方の端部は、蓋部７８に設置された２個の支持部材１６４に支持されてねじ軸１６２と平行に設けられた軸部材１６５に、取り付けられている。これにより、モータ１６６が回転してねじ軸１６２が回転すると、清掃部材１６８はねじ軸１６２に沿って移動するようになっている。
【００６０】
このような構成としたとき、清掃部材１６８は上下方向に平行に移動するので、開口部８０の面積を大きくすることができる。
【００６１】
さらに、図７に示すように、ベルト送り機構を用いて清掃部材１７８を移動させる構成としてもよい。
【００６２】
ベルト送り機構について簡単に説明する。開口部８０を挟むようにして、蓋部７８には４個の支持部材１７１が設けられている。この支持部材１７１には、支持軸１７０、１７２の両端が回転可能に支持されている。
【００６３】
また、支持軸１７０、１７２の両端には、それぞれプーリー１７３、１７５が設けられている。支持軸１７０の一方の端部のプーリー１７３と支持軸１７２の一方の端部のプーリー１７５、及び、支持軸１７０の他方の端部のプーリー１７３と支持軸１７２の他方の端部のプーリー１７５に無端ベルト１７４が架け渡されており、無端ベルト１７４には清掃部材１７８が取り付けられている。
【００６４】
支持軸１７０にはモータ１７６が接続されており、モータ１７６が駆動すると支持軸１７０が回転するようになっている。支持軸１７０が回転するとプーリー１７３も回転し、これに伴って無端ベルト１７４が回転して清掃部材１７８が移動するようになっている。
【００６５】
この他にも、清掃部材を移動させる移動手段として、カム機構で動力を伝達するよう連動させるカム送り機構などを用いても良く、種々の方法を用いることができる。
【００６６】
次に、本発明の第２の実施形態に係る温度センサユニット１８０を備えた定着装置について説明する。なお、第１の実施形態と同様の部分についての説明は割愛する。
【００６７】
図８に示すように、蓋部７８には、第１の実施形態の清掃部材８４に替えて、２個の加熱ヒーター１８２が開口部８０を挟むようにして設置されている。加熱ヒーター１８２は制御装置１８４に接続されており、画像形成装置内に設けられた温度センサ５１からの信号を受けて、制御装置１８４によって温度の調整が行われるようになっている。
【００６８】
次に、本発明の第２の実施形態の作用について説明する。
【００６９】
温度センサ５１によって画像形成装置内の温度が測定され、例えば、５０°以下になると、制御装置１８４は加熱ヒーター１８２へ電流を供給する。これにより、フィルター８２は加熱ヒーター１８２によって温められる。従って、フィルター８２周辺の空気に含まれた水蒸気がフィルター８２の表面に触れたとき、フィルター８２は結露しにくくなるので、フィルター８２の表面に水滴が付着するのを防止できる。
【００７０】
なお、本実施形態においては、開口部８０の形状を円形状としたが、開口部８０の形状は特に限定されるものではない。
【００７１】
また、フィルター８２に付着した水滴を除去する手段としては、清掃部材で水滴を除去する方法や、フィルター８２近傍に加熱ヒーター１８２を設置してフィルター８２を温める方法以外にも、フィルター８２近傍に温風器を設置して、フィルター８２に付着した水滴を吹き飛ばす方法もあり、上記方法に限定されるものではない。
【図面の簡単な説明】
【００７２】
【図１】本発明の第１の実施形態の画像形成装置の概略構成を示す断面図である。
【図２】本発明の第１の実施形態の定着装置の概略構成を示す断面図である。
【図３】本発明の第１の実施形態の定着装置の温度センサユニットを示す斜視図である。
【図４】本発明の第１の実施形態の定着装置の温度センサユニットを示す平面図である。
【図５】本発明の第１の実施形態の定着装置の温度センサユニットの変形例を示す平面図である。
【図６】本発明の第１の実施形態の定着装置の温度センサユニットの変形例を示す平面図である。
【図７】本発明の第１の実施形態の定着装置の温度センサユニットの変形例を示す平面図である。
【図８】本発明の第２の実施形態の定着装置の温度センサユニットを示す平面図である。
【符号の説明】
【００７３】
１０  画像形成装置
１６  定着装置
５１  温度センサ（温湿度センサ）
５３  制御装置（制御手段）
５６  加熱ロール（定着手段）
７０  定着装置
７２  ハウジング（筐体）
７２Ｂ  開口面
７２Ａ  底面
７４  基盤
７６  温度センサ（非接触型温度センサ）
８０  開口部
８２  フィルター
８４  清掃部材（水滴除去手段）
１８２  加熱ヒーター（水滴除去手段）
１８４  制御装置（制御手段）
【図１】
2005227558.tif 000003
【図２】
2005227558.tif 000004
【図３】
2005227558.tif 000005
【図４】
2005227558.tif 000006
【図５】
2005227558.tif 000007
【図６】
2005227558.tif 000008
【図７】
2005227558.tif 000009
【図８】
2005227558.tif 000010